(57)【要約】      （修正有）【課題】必要な防水性能を損なうことなく、施工作業の容易化、コストの低減を図ることが可能な水槽を提供する。【解決手段】ＦＲＰ製の芯材５，９，１５により組み立てられた槽本体と、槽本体の内外面に設けられた防水用のＦＲＰ層３１，３３と、内外面のＦＲＰ層３１，３３の表面に設置された表面材３７，３９，４３，５１と、を具備した構成になっているので、必要な防水性能を損なうことなく、施工作業の容易化、コストの低減を図ることができ、例えば、ホテル、集合住宅等における浴槽に適用した場合に多大な効果を得ることができる。【選択図】図４
0003193460.tif 000002
【実用新案登録請求の範囲】
【請求項１】
芯材により組み立てられた槽本体と、
上記槽本体の表面に設けられた防水用の樹脂層と、
上記樹脂層の表面に設置された表面材と、
を具備したことを特徴とする水槽。
【請求項２】
請求項１記載の水槽において、
上記芯材は熱硬化性樹脂発泡体をガラス繊維で強化したものであることを特徴とする水槽。
【請求項３】
請求項１又は請求項２記載の水槽において、
上記樹脂層はＦＲＰ層であることを特徴とする水槽。
【請求項４】
請求項１〜請求項３の何れかに記載の水槽において、
上記樹脂層が複数層にわたって設けられていることを特徴とする水槽。
【請求項５】
請求項１〜請求項４の何れかに記載の水槽において、
上記表面材の内側には断熱層が設けられていることを特徴とする水槽。
【請求項６】
請求項１〜請求項５の何れかに記載の水槽において、
上記表面材は石板又はタイル又は木板であることを特徴とする水槽。
【請求項７】
請求項１〜請求項６の何れかに記載の水槽において、
浴槽であることを特徴とする水槽。
【請求項８】
請求項７記載の水槽において、
浴槽の内面にはエアーブローノズルが設置されていることを特徴とする水槽。
【考案の詳細な説明】
【技術分野】
【０００１】
本考案は、例えば、浴槽、台所のシンク、洗面台、等の水槽に係り、特に、必要な防水性能を損なうことなく、施工作業の容易化、コストの低減を図ることができるように工夫したものに関する。
【背景技術】
【０００２】
例えば、ホテルや集合住宅等においては、プラスチック製の浴槽が一般的であるが、昨今、表面に石板又はタイル又は木板を貼り付けたより高級感のある浴槽が好まれている。この種の浴槽の施工手順は概略次のようなものである。
まず、浴槽本体となるコンクリート製の躯体を構築する。次に、養生期間経過後に、上記躯体の内外面に防水処理を施すとともにモルタルを介して石板又はタイル又は木板を貼っていく。それによって、表面に石板又はタイル又は木板を貼りつけたより高級感のある所望の浴槽を設置する。
【０００３】
ところが、上記のような工法では、長い作業時間と多くの労力を要してしまい、コストも上昇してしまうという問題があった。そこで、例えば、特許文献１に記載されているような浴槽が提案されている。
【０００４】
特許文献１に記載されている浴槽は、概略、次のような構成をなしている。まず、合板の内外面にＦＲＰ（Ｆｉｂｅｒ  Ｒｅｉｎｆｏｒｃｅｄ  Ｐｌａｓｔｉｃｓ）被覆層を設けた芯材を用意し、この芯材を使用して浴槽本体を構築する。次に、この浴槽本体の内外面に取付金具を取り付け、その取付金具を介して、木板、石板等の表面板を取り付ける。このような構成により所望の浴槽を設置するものである。
【先行技術文献】
【特許文献】
【０００５】
【特許文献１】特開２００８−２２８７５６号公報
【考案の概要】
【考案が解決しようとする課題】
【０００６】
上記従来の構成によると次のような問題があった。
まず、特許文献１に記載された発明によると、コンクリート製の躯体の構築は不要になるので、その分、工期も短縮されるとともに労力も軽減されることになる。
しかしながら、芯材により浴槽本体を組み立てた状態で、特に、防水を担保する構成を採用しておらず、浴槽本体の内外面に取付金具を介して木板、石板等の表面板を設置するようにしているので、水漏れが懸念されていた。
又、木板、石板等の表面板を取り付けるために浴槽本体の内外面に取付金具を取り付けなければならず面倒であった。
【０００７】
本考案はこのような点に基づいてなされたものでその目的とするところは、必要な防水性能を損なうことなく、施工作業の容易化、コストの低減を図ることが可能な水槽を提供することにある。
【課題を解決するための手段】
【０００８】
上記目的を達成するべく本願考案の請求項１に記載された水槽は、芯材により組み立てられた槽本体と、上記槽本体の表面に設けられた防水用の樹脂層と、上記樹脂層の表面に設置された表面材と、を具備したことを特徴とするものである。
又、請求項２に記載された水槽は、請求項１記載の水槽において、上記芯材は熱硬化性樹脂発泡体をガラス繊維で強化したものであることを特徴とするものである。
又、請求項３に記載された水槽は、請求項１又は請求項２記載の水槽において、上記樹脂層はＦＲＰ層であることを特徴とするものである。
又、請求項４に記載された水槽は、請求項１〜請求項３の何れかに記載の水槽において、上記樹脂層が複数層にわたって設けられていることを特徴とするものである。
又、請求項５に記載された水槽は、請求項１〜請求項４の何れかに記載の水槽において、上記表面材の内側には断熱層が設けられていることを特徴とするものである。
又、請求項６に記載された水槽は、請求項１〜請求項５の何れかに記載の水槽において、上記表面材は石板又はタイル又は木板であることを特徴とするものである。
又、請求項７に記載された水槽は、請求項１〜請求項６の何れかに記載の水槽において、浴槽であることを特徴とするものである。
又、請求項８に記載された水槽は、請求項７記載の水槽において、浴槽の内面にはエアーブローノズルが設置されていることを特徴とするものである。
【考案の効果】
【０００９】
以上述べたように本願考案の請求項1による水槽によると、芯材により組み立てられた槽本体と、上記槽本体の表面に設けられた防水用の樹脂層と、上記樹脂層の表面に設置された表面材と、を具備した構成になっているので、必要な防水性能を損なうことなく、施工作業の容易化、コストの低減を図ることができる。
又、請求項２に記載された水槽によると、請求項１記載の水槽において、上記芯材は熱硬化性樹脂発泡体をガラス繊維で強化したものであるので、上記効果をより高いものとすることができる。
又、請求項３に記載された水槽によると、請求項１又は請求項２記載の水槽において、上記樹脂層はＦＲＰ層であるので、上記効果をより高いものとすることができる。
又、請求項４に記載された水槽によると、請求項１〜請求項３の何れかに記載の水槽において、上記樹脂層が複数層にわたって設けられているので、防水性能をさらに高めることができる。
又、請求項５に記載された水槽によると、請求項１〜請求項４の何れかに記載の水槽において、上記表面材の内側には断熱層が設けられているので、上記効果はもとより断熱性能に優れた水槽を提供することができる。
又、請求項６に記載された水槽によると、請求項１〜請求項５の何れかに記載の水槽において、上記表面材は石板又はタイル又は木板であるので、より高級感のある水槽を提供することができる。
又、請求項７に記載された水槽によると、請求項１〜請求項６の何れかに記載の水槽において、浴槽であるので、浴槽について、必要な防水性能を損なうことなく、施工作業の容易化、コストの低減を図ることができる。
又、請求項８に記載された水槽によると、請求項７記載の水槽において、浴槽の内面にはエアーブローノズルが設置されているので、所望のエアーブロー機能を備えた浴槽を得ることができる。
【図面の簡単な説明】
【００１０】
【図１】本考案の第１の実施の形態を示す図で、浴槽の平面図である。
【図２】本考案の第１の実施の形態を示す図で、図１のＩＩ−ＩＩ断面図である。
【図３】本考案の第１の実施の形態を示す図で、図１のＩＩＩ−ＩＩＩ断面図である。
【図４】本考案の第１の実施の形態を示す図で、図３のＩＶ部の拡大図である。
【図５】本考案の第１の実施の形態を示す図で、図２のＶ部の拡大図である。
【図６】本考案の第２の実施の形態を示す図で、洗面化粧台の平面図である。
【図７】本考案の第２の実施の形態を示す図で、図６のＶＩＩ−ＶＩＩ断面図である。
【図８】本考案の第２の実施の形態を示す図で、図６のＶＩＩＩ−ＶＩＩＩ断面図である。
【図９】本考案の第２の実施の形態を示す図で、図７のＩＸ部の拡大図である。
【図１０】本考案の第３の実施の形態を示す図で、浴槽の部分断面図である。
【考案を実施するための形態】
【００１１】
図１乃至図５を参照しながら本考案の第１の実施の形態について説明する。この第１の実施の形態は、本考案を浴槽に適用したものである。この第１の実施の形態による浴槽１は次のような構成をなしている。図１乃至図３に示すように、まず、漕本体３がある。この槽本体３は、例えば、適宜の大きさに切断されたＦＲＰ製の芯材（商品名：エスロン(登録商標)ネオランバーＦＦＵ、積水化学工業株式会社製）を複数組み合わせて器状に構成したものである。上記芯材は、熱硬化性樹脂発泡体(硬質ウレタン樹脂)をガラス長繊維で補強したものである。以下、詳細に説明する。
【００１２】
すなわち、図１に示すように、設置面４に脚部芯材５、５、７、７が立設されていて、これら脚部芯材５、５、７、７の上に板状の底壁用芯材９が設置されている。この底壁用芯材９の四辺には側壁用芯材１１、１３、１５、１７が立設されている。槽本体３はこれら底壁用芯材９と側壁用芯材１１、１３、１５、１７によって、既に述べたように、器状に組み立てられている。
【００１３】
又、上記漕本体３の外周側であって、図１中上側、右側、左側には、傾斜壁用芯材１９が設置されている。この傾斜壁用芯材１９は、図３に示すように、前方側（図３中左側）に向けて、傾斜角度１°の下り勾配で設置されている。又、図１に示すように、この傾斜壁用芯材１９の左右両側の前方端には、垂直壁用芯材２１、２１が設置されている。又、図１に示すように、上記傾斜壁用芯材１９の下側であって、上記漕本体３の左右両側の側壁用芯材１３、１７の外側には、それぞれ４本ずつの補強用芯材２３、２３、２３、２３が設置されている。
【００１４】
又、上記底壁用芯材９には、排水口２５が形成されているとともに、複数個（第１の実施の形態の場合には８個）のエアーブローノズル設置用貫通孔２６が形成されている。又、上記傾斜壁用芯材１９の上流側（図１中上側）には、複数個（この第１の実施の形態の場合は６個）の水抜き孔２７が形成されている。
【００１５】
上記漕本体３の内外面にはＦＲＰが吹き付けられていて、図４に示すように、まず、第１ＦＲＰ層３１が設けられている。又、上記第１ＦＲＰ層３１の外側に更にＦＲＰが吹き付けられていて、第２ＦＲＰ層３３が設けられている。
なお、この第１の実施の形態の場合には、傾斜壁用芯材１９の左右の部分の下面及び脚部芯材５、５、７、７の下端部には上記第１ＦＲＰ層３１、第２ＦＲＰ層３３は設けられていない。
上記第１ＦＲＰ層３１、第２ＦＲＰ層３３により、上記槽本体３の隙間、すなわち、上記底壁用芯材９及び側壁用芯材１１、１３、１５、１７により上記槽本体３を組み立てた時に発生する各部の隙間を閉塞し、所望の防水構造を得るようにしている。
なお、上記第１ＦＲＰ層３１と第２ＦＲＰ層３３は若干異なる材料を使用しており、上記第１ＦＲＰ層３１の使用には防水性能のみならず所望の密着性能を発揮し得る材料が使用されている。
【００１６】
又、例えば、図１に示すように、上記槽本体３の底壁用芯材９の表面の第２ＦＲＰ層３３には、接着剤層３５を介して、底壁用石板３７が設置されている。又、上記槽本体３の側壁用芯材１１、１３、１５、１７の内側面の表面の第２ＦＲＰ層３３には、接着剤層３５を介して、側壁用内側石板３９、４１、４３、４５が設置されている。又、上記槽本体３の側壁用芯材１１、１３、１５、１７の外側面の表面の第２ＦＲＰ層３３にも、接着剤層３５を介して、側壁用外側石板４７、４９、５１、５３が設置されている。又、垂直壁用芯材２１、２１の外側面の表面の第２ＦＲＰ層３３にも、接着剤層３５を介して、垂直壁用外側石板５４、５６が設置されている。又、例えば、図１乃至図３に示すように、上記槽本体３の側壁用芯材１１、１３、１５、１７の上面の表面の第２ＦＲＰ層３３にも、接着剤層３５を介して、側壁用上面石板５５、５７、５９、６１が設置されている。
又、上記傾斜壁用芯材１９の図３中上側の表面の第２ＦＲＰ層３３には、接着剤層３５を介して、傾斜壁用石板６３が設置されている。この傾斜壁用石板６３も、図３に示すように、前方側（図３中左側）に向けて、傾斜角度１°の下り勾配となっている。
【００１７】
又、上記底壁用石板３７には、排水口６５が形成されており、この排水口６５は上記底壁用芯材９の排水口２５と連通している。又、上記排水口２５には、図示しない排水金具が設置され、この排水金具を介して上記排水口６５、２５が、図示しない排水管に連通されている。
なお、上記排水金具としては、本件実用新案登録出願人の特許第５２６８２５１号による「排水栓装置」の使用が考えられる。
又、上記底壁用石板３７には、エアーブロー用貫通孔６７が形成されており、このエアーブロー用貫通孔６７は上記底壁用芯材９のエアーブローノズル設置用貫通孔２６と連通している。
【００１８】
又、図５に示すように、上記底壁用芯材９のエアーブローノズル設置用貫通孔２６にはエアーブローノズル７１が設置されている。このエアーブローノズル７１はノズル本体７３を備えていて、このノズル本体７３の、上記底壁用芯材９の図５中上側にはフランジ部７５が一体に設けられている。上記ノズル本体７３は、上記フランジ部７５と上記ノズル本体７３の反フランジ部７５側（図５中下側）に螺合されたナット７７によって、上記浴槽１の底部を挟み込むように設置されている。上記ナット７７と上記浴槽１の底部との間には、パッキン７８、７８が介挿されており、上記フランジ部７５と上記底壁用芯材９の間にもパッキン７８が介挿されている。
【００１９】
上記フランジ部７５内には、弁座７９が内装されている。上記ノズル本体７３には貫通孔８１が形成されているとともに、上記弁座７９にも、上側が拡径された貫通孔８３が形成されていて、これら貫通孔８１、８３は連通している。又、上記弁座７９の内部には、球状の弁体８５が移動可能に設置されている。又、上記フランジ部７５の図５中上側には蓋体８７が設置されており、この蓋体８７にはエア噴出孔８９、８９、８９が形成されている。上記ノズル本体７３には配管９１が連結されており、この配管９１にはエアブローポンプ９２が接続されている。このエアブローポンプ９２から供給されたエアが上記エア噴出孔８９、８９、８９を介して上記浴槽１内に噴出される。
【００２０】
次に、この第１の実施の形態による浴槽１の作用・効果について説明する。
まず、第１の実施の形態による浴槽１は、底壁用芯材９、側壁用芯材１１、１３、１５、１７などによって漕本体３を組み立てた後、ＦＲＰが吹き付けられて、第１ＦＲＰ層３１及び第２ＦＲＰ層３３が形成され、この第２ＦＲＰ層３３の外側に表面材としての底壁用石板３７、側壁用内側石板３９、４１、４３、４５、などが設置されて完成される構成になっているので、従来必要とされたコンクリート製の躯体構築等の面倒な作業が不要となり、工期の短縮、労力の軽減、コストの低減を図ることができる。
又、上記底壁用芯材９、側壁用芯材１１、１３、１５、１７などの材料を現場に搬入して現場で組み立てることができるので、浴槽１の設置作業が容易なものとなる。
又、底壁用芯材９、側壁用芯材１１、１３、１５、１７などによって、漕本体３を組み立てた後、その内外面にＦＲＰを吹き付けて第１ＦＲＰ層３１、第２ＦＲＰ層３３を設けるようにしているので、確実な防水構造を得ることができる。
特に、第１ＦＲＰ層３１だけでなくその外側に第２ＦＲＰ層３３を設けているので、より高い防水構造を得ることができる。
又、上記浴槽１には、複数個のエアーブローノズル７１が設置されており、上記浴槽１内の入浴者に気泡によるマッサージを行うことができる。
【００２１】
次に、図６乃至図９を参照しながら本考案の第２の実施の形態を説明する。この第２の実施の形態は、本考案を洗面化粧台に適用したものである。この第２の実施の形態による洗面化粧台１０１は次のような構成になっている。図６乃至図８に示すように、まず、漕本体１０３がある。この槽本体１０３も、前記第１の実施の形態における漕本体３と同様、複数のＦＲＰ製の芯材を組み合わせて構築されたものである。
すなわち、図６中左側には、左側シンク底壁用芯材１０５があり、この左側シンク底壁用芯材１０５の四辺には左側シンク側壁用芯材１０７、１０９、１１１、１１３が立設されている。
【００２２】
又、図６中右側には、右側シンク底壁用芯材１１５があり、この右側シンク底壁用芯材１１５の四辺には右側シンク側壁用芯材１１７、１１９、１２１、１２３が立設されている。又、上記左側シンク側壁用芯材１０９と上記右側シンク側壁用芯材１２３との間には、中央天壁用芯材１２５が設置されている。
【００２３】
又、上記左側シンク側壁用芯材１１３、１０９、右側シンク側壁用芯材１１９、１２３の前端側（図６中下側）には、前方側壁用芯材１２７が設置されている。又、上記左側シンク側壁用芯材１１３、１０９、右側シンク側壁用芯材１１９、１２３の後端側は延長されており、その後端側には後方側壁用芯材１２９が設置されている。
【００２４】
又、上記前方側壁用芯材１２７、上記後方側壁用芯材１２９の幅方向左側（図６中左側）には、左側側壁用芯材１３１が設置されており、上記前方側壁用芯材１２７、上記後方側壁用芯材１２９の幅方向右側（図６中右側）には、右側側壁用芯材１３３が設置されている。
【００２５】
又、図６、図７に示すように、上記左側シンク側壁用芯材１１３と上記左側側壁用芯材１３１との間には、左側天壁用芯材１３５が設置されている。又、上記右側シンク側壁用芯材１１９と上記右側側壁用芯材１３３との間には、右側天壁用芯材１３７が設置されている。
【００２６】
又、図６に示すように、上記左側シンク側壁用芯材１０７と上記後方側壁用芯材１２９との間には、後方左側天壁用芯材１３９が設置されている。又、上記右側シンク側壁用芯材１１７と上記後方側壁用芯材１２９との間には、後方右側天壁用芯材１４１が設置されている。又、図６、図８に示すように、前方側壁用芯材１２７及び左側シンク側壁用芯材１１１の図８中上側には、左側シンク側壁用芯材１１１の幅で芯材１４０が設置されている。又、図６に示すように、前方側壁用芯材１２７及び右側シンク側壁用芯材１２１）部分の図８中上側には、右側シンク側壁用芯材１２１の幅で芯材１４２が設置されている。
【００２７】
図６に示すように、上記左側シンク底壁用芯材１０５には、排水口１４３が形成されている。又、上記右側シンク底壁用芯材１１５には、排水口１４５が形成されている。又、上記左側シンク側壁用芯材１０９の上側（図６中紙面垂直方向手前側）には、オーバーフロー排水口１４６が形成されている。又、上記右側シンク側壁用芯材１２３の上側（図６中紙面垂直方向手前側）にも、オーバーフロー排水口１４７が形成されている。又、上記後方左側天壁用芯材１３９には、長方形の開口部１４９と円形の開口部１５１が形成されている。又、上記後方右側天壁用芯材１４１にも、長方形の開口部１５３と円形の開口部１５５が形成されている。
【００２８】
又、図９に示すように、上記漕本体１０３の表面側には、ＦＲＰが吹き付けられＦＲＰ層１５７が形成されている。
【００２９】
又、図７に示すように、上記左側シンク底壁用芯材１０５の図７中上側のＦＲＰ層１５７には、接着剤層１５９を介して、左側シンク底壁用石板１６１が設置されている。又、図６に示すように、左側シンク側壁用芯材１０７の図６中下側のＦＲＰ層１５７には、接着剤層１５９を介して、左側シンク側壁用石板１６３が設置されており、左側シンク側壁用芯材１０９の図６中左側のＦＲＰ層１５７には、接着剤層１５９を介して、左側シンク側壁用石板１６５が設置されており、左側シンク側壁用芯材１１１の図６中上側のＦＲＰ層１５７には、接着剤層１５９を介して、左側シンク側壁用石板１６７が設置されており、左側シンク側壁用芯材１１３の図６中右側のＦＲＰ層１５７には、接着剤層１５９を介して、左側シンク側壁用石板１６９が設置されている。
【００３０】
又、図７に示すように、上記右側シンク底壁用芯材１１５の図７中上側のＦＲＰ層１５７には、接着剤層１５９を介して、右側シンク底壁用石板１７１が設置されている。又、図６に示すように、右側シンク側壁用芯材１１７の図６中下側のＦＲＰ層１５７には接着剤層１５９を介して、右側シンク側壁用石板１７３が設置されており、右側シンク側壁用芯材１１９の図６中左側のＦＲＰ層１５７には、接着剤層１５９を介して、右側シンク側壁用石板１７５が設置されており、右側シンク側壁用芯材１２１の図６中上側のＦＲＰ層１５７には、接着剤層１５９を介して、右側シンク側壁用石板１７７が設置されており、右側シンク側壁用芯材１２３の図６中右側のＦＲＰ層１５７には、接着剤層１５９を介して、右側シンク側壁用石板１７９が設置されている。
【００３１】
又、図６に示すように、前方側壁用芯材１２７の図６中下側のＦＲＰ層１５７には、接着剤層１５９を介して、前方側壁用石板１８１が設置されており、後方側壁用芯材１２９の図６中上側のＦＲＰ層１５７には、接着剤層１５９を介して、後方側壁用石板１８３が設置されている。又、左側側壁用芯材１３１の図６中左側のＦＲＰ層１５７には、接着剤層１５９を介して、左側壁用石板１８５が設置されており、右側側壁用芯材１３３の図６中右側のＦＲＰ層１５７には、接着剤層１５９を介して、右側壁用石板１８７が設置されている。
【００３２】
又、図７に示すように、上記漕本体１０３の上側のＦＲＰ層１５７には、接着剤層１５９を介して、天壁用石板１８９が設置されている。
【００３３】
又、上記左側シンク底壁用石板１６１には、排水口１９１が形成されており、この排水口１９１は、上記左側シンク底壁用芯材１０５の排水口１４３と連通している。又、上記右側シンク底壁用石板１７１には、排水口１９３が形成されており、この排水口１９３は、上記右側シンク底壁用芯材１１５の排水口１４５と連通している。
【００３４】
又、上記天壁用石板１８９には、長方形の開口部１９５、１９７が形成されている。上記開口部１９５は、後方左側天壁用芯材１３９の開口部１４９と連続しており、上記開口部１９７は、後方右側天壁用芯材１４１の開口部１５３と連通している。
又、上記天壁用石板１８９には、円形の開口部１９９、２０１が形成されている。上記開口部１９９は、後方左側天壁用芯材１３９の開口部１５１と連続しており、上記開口部２０１は、後方右側天壁用芯材１４１の開口部１５５と連通している。
又、左側シンク側壁用石板１６５には、オーバーフロー排水口２００が形成されている。このオーバーフロー排水口２００は、左側シンク側壁用芯材１０９のオーバーフロー排水口１４６と連通している。
右側シンク側壁用石板１７９には、オーバーフロー排水口２０２が形成されている。このオーバーフロー排水口２０２は、右側シンク側壁用芯材１２３のオーバーフロー排水口１４７と連通している。
【００３５】
又、図６、図７に示すように、洗面化粧台１０１の図７下側には、左側オーバーフロートレイ２０３と右側オーバーフロートレイ２０５が設置されている。上記左側オーバーフロートレイ２０３は、上記排水口１４３、１９１の下に設置されており、上記左側オーバーフロートレイ２０５は、上記排水口１４５、１９３の下に設置されている。上記オーバーフロートレイ２０３の底には、排水口２０７が形成されており、上記オーバーフロートレイ２０５の底には、排水口２０９が形成されている。
【００３６】
次に、この第２の実施の形態による洗面化粧台１０１の作用・効果について説明する。
洗面化粧台１０１も、左側シンク底壁用芯材１０５、左側シンク側壁用芯材１０７、１０９、１１１、１１３などによって、漕本体１０３を組み立てた後、ＦＲＰが吹き付けられて、ＦＲＰ層１５７が形成され、このＦＲＰ層１５７の外側に表面材としての左側シンク底壁用石板１６１などが設置される構成になっており、右側も同様であり、従来必要とされたコンクリート製の躯体構築等の面倒な作業が不要となり、工期の短縮、労力の軽減、コストの低減を図ることができる。
又、ＦＲＰが吹き付けられてＦＲＰ層１５７が形成されているので、防水構造を確実に得ることができる。
又、左側シンク底壁用芯材１０５などの材料を現場に搬入して、組み立てながら設置が行われるため、設置作業が容易なものとなる。
【００３７】
次に、図１０を参照しながら本考案の第３の実施の形態について説明する。この第３の実施の形態では、例えば、本考案を浴槽に適用しており、その構成は、前記第１の実施の形態による浴槽１と略同様であるが、例えば、グラスウールからなる断熱層３１１、３１１を介挿させる点で、その構成が異なっている。すなわち、第２ＦＲＰ層３３、３３の表面に接着剤層３５、３５を介して断熱層３１１、３１１を設置し、これら断熱層３１１、３１１の表面に接着剤層３５′、３５′を介して石板４３、５１を設置している。
図１０は浴槽１の側壁用芯材１５の部分を示す断面図であるが、その他の壁についても同様の構成になっている。
なお、その他の構成は前記第１の実施の形態と同じであり、同一部分には同一符号を付して示しその説明は省略する。
【００３８】
この第３の実施の形態による浴槽は、前述した第１の実施の形態による浴槽１の奏する効果に加え、上記断熱層３１１、３１１によって、高い断熱・保温効果も奏するものである。
【００３９】
尚、本考案は前記第１乃至第３の実施の形態に限定されない。
例えば、前記第１、第３の実施の形態では浴槽を例に挙げて説明し、前記第２の実施の形態では、洗面化粧台を例に挙げて説明したが、それ以外にも、流し台等、各種水槽に適用可能である。
又、前記第１〜第３の実施の形態においては、芯材として熱硬化性樹脂発泡体(硬質ウレタン樹脂)をガラス長繊維で補強したもの使用したが、それに限定されるものではなく、様々な材質の芯材の使用が考えられる。
又、前記第１〜第３の実施の形態においては、樹脂層としてＦＲＰ層を例に挙げて説明したが、その他様々な樹脂層の使用が考えられる。
又、前記第１〜第３の実施の形態では、吹き付けにより防水用のＦＲＰ層を設ける場合を例に挙げて説明したが、吹き付けに限らず刷毛塗りでもよい。
又、前記第１乃至第３の実施の形態の場合には、表面材として石板を使用した例を説明したが、それ以外にも、タイル、木板、等、各種表面材の使用が考えられる。
又、前記第３の実施の形態では、グラスウールを断熱材として使用したが、その他の種類の断熱材を使用することも考えられる。
その他、図示した構成はあくまで一例である。
【産業上の利用可能性】
【００４０】
本考案は、例えば、浴槽、台所のシンク、洗面台、等の水槽に係り、特に、必要な防水性能を損なうことなく、施工作業の容易化、コストの低減を図ることができるように工夫したものに関し、例えば、ホテル、集合住宅等における浴槽に好適である。
【符号の説明】
【００４１】
１  浴槽（水槽）
３  漕本体
５  脚部芯材
７  脚部芯材
９  底壁用芯材
１１  側壁用芯材
１３  側壁用芯材
１５  側壁用芯材
１７  側壁用芯材
１９  傾斜壁用芯材
２１  垂直芯材
２３  補強用芯材
３１  第１ＦＲＰ層
３３  第２ＦＲＰ層
３５  接着剤層
３５′  接着剤層
３７  底壁用石板（表面材）
３９  側壁用内側石板（表面材）
４１  側壁用内側石板（表面材）
４３  側壁用内側石板（表面材）
４５  側壁用内側石板（表面材）
４７  側壁用外側石板（表面材）
４９  側壁用外側石板（表面材）
５１  側壁用外側石板（表面材）
５３  側壁用外側石板（表面材）
５５  上面用石板（表面材）
５７  上面用石板（表面材）
５９  上面用石板（表面材）
６１  上面用石板（表面材）
６３  傾斜壁用石板（表面材）
７１  エアーブローノズル
１０１  洗面化粧台（水槽）
１０３  漕本体
１０５  左側シンク底部用芯材
１０７  左側シンク側壁用芯材
１０９  左側シンク側壁用芯材
１１１  左側シンク側壁用芯材
１１３  左側シンク側壁用芯材
１１５  右側シンク底部用芯材
１１７  右側シンク側壁用芯材
１１９  右側シンク側壁用芯材
１２１  右側シンク側壁用芯材
１２３  右側シンク側壁用芯材
１２５  中央天壁用芯材
１２７  前方側壁用芯材
１２９  後方側壁用芯材
１３１  左側側壁用芯材
１３３  右側側壁用芯材
１３５  左側天壁用芯材
１３７  右側天壁用芯材
１３９  後方左側天壁用芯材
１４１  後方右側天壁用芯材
１５７  ＦＲＰ層
１５９  接着剤層
１６１  左側シンク底壁用石板（表面材）
１６３  左側シンク側壁用石板（表面材）
１６５  左側シンク側壁用石板（表面材）
１６７  左側シンク側壁用石板（表面材）
１６９  左側シンク側壁用石板（表面材）
１７１  右側シンク底部用石板（表面材）
１７３  右側シンク側壁用石板（表面材）
１７５  右側シンク側壁用石板（表面材）
１７７  右側シンク側壁用石板（表面材）
１７９  右側シンク側壁用石板（表面材）
１８１  前方側壁用石板（表面材）
１８３  後方側壁用石板（表面材）
１８５  左側壁用石板（表面材）
１８７  右側壁用石板（表面材）
１８９  天壁用石板（表面材）
３１１  断熱層
【図１】
0003193460.tif 000003
【図２】
0003193460.tif 000004
【図３】
0003193460.tif 000005
【図４】
0003193460.tif 000006
【図５】
0003193460.tif 000007
【図６】
0003193460.tif 000008
【図７】
0003193460.tif 000009
【図８】
0003193460.tif 000010
【図９】
0003193460.tif 000011
【図１０】
0003193460.tif 000012